(57)【要約】  洗濯機は、筐体（１００）と、筐体（１００）内に設けられる洗濯槽ユニットと、洗濯槽ユニットの下部に設けられる駆動装置（３００）を含む。更に、洗濯槽ユニット及び／又は駆動装置（３００）に固定接続される固定構造（８００）と、筐体の底部に設けられる支持構造（９００）を含み、固定構造（８００）は支持構造（９００）に支持されて洗濯槽ユニットと駆動装置（３００）を筐体（１００）内に支持し、固定構造（８００）と支持構造（９００）を係合することで、支持構造（９００）から固定構造（８００）に対し複数方向の支持力が付与される。固定構造と支持構造を設けることで懸架式制震部材の使用が減少するため、容量拡大にいっそう有利となり、且つ洗濯槽ユニットのぐらつきが低減する。【選択図】図１
2020517412.tif 000002
【特許請求の範囲】
【請求項１】
筐体と、筐体内に設けられる洗濯槽ユニットと、洗濯槽ユニットの下部に設けられる駆動装置を含む洗濯機であって、
更に、洗濯槽ユニット及び／又は駆動装置に固定接続される固定構造と、筐体の底部に設けられる支持構造を含み、固定構造は支持構造に支持されて洗濯槽ユニットと駆動装置を筐体内に支持し、固定構造と支持構造を係合することで、支持構造から固定構造に対し複数方向の支持力が付与されることを特徴とする洗濯機。
【請求項２】
前記支持構造は前記固定構造を支持する支持部を備え、前記固定構造は支持部に適合する係合部を備え、前記支持部と係合部はいずれも異なる方向を向く複数の側面を有し、洗濯槽ユニットの重心がずれると、支持部と係合部が係合することで、側面と垂直な支持力が固定構造に付与されることを特徴とする請求項１に記載の洗濯機。
【請求項３】
前記支持部と係合部はいずれも曲面を有し、前記支持部の曲面と係合部の曲面が係合し、洗濯槽ユニットの重心がずれると、支持部から固定構造に対し曲面と垂直な支持力が付与され、
好ましくは、前記支持部と係合部の曲面はいずれも球面をなし、前記支持部の球面と係合部の球面が係合することを特徴とする請求項２に記載の洗濯機。
【請求項４】
前記支持部は支持構造に設けられる突起／凹溝であり、前記係合部は固定構造に設けられて支持部に適合する凹溝／突起であり、前記突起の表面は外側円弧面であり、前記凹溝の内壁は内側円弧面であり、突起の外側円弧面と凹溝の内側円弧面が接触及び係合し、
好ましくは、前記突起の表面は外側球面であり、凹溝の内壁は内側球面であり、突起の外側球面と凹溝の内側球面が係合することで、球面と垂直な支持力が固定構造に付与されることを特徴とする請求項２又は３に記載の洗濯機。
【請求項５】
前記支持構造は前記固定構造を支持する支持プレートを備え、前記固定構造は前記支持プレートと対向する固定プレートを備え、前記凹溝／突起はそれぞれ支持プレート及び固定プレートに設けられ、前記突起は、固定プレート又は支持プレートと一体的に成型されるか、取り外し可能に接続されることを特徴とする請求項４に記載の洗濯機。
【請求項６】
前記固定プレートは前記支持プレートの上方に位置し、前記支持プレートが上方へ突出して外球状の突起を形成し、前記固定プレートが上方に凹陥して内球状の凹溝を形成し、
或いは、前記固定プレートが下方に突出して外球状の突起を形成し、前記支持プレートが下方に凹陥して内球状の凹溝を形成することを特徴とする請求項５に記載の洗濯機。
【請求項７】
前記固定構造は収容空間を有し、前記駆動装置は当該収容空間内に位置して固定構造に固定接続されることを特徴とする請求項１〜６のいずれかに記載の洗濯機。
【請求項８】
前記固定構造は装着プレートと支持部材を更に含み、前記支持部材の両端が装着プレートと固定プレートにそれぞれ接続されることで、装着プレートと固定プレートの間に一定の間隔が置かれて収容空間が形成され、前記駆動装置は、収容空間内に位置するとともに装着プレートの下部に固定されることを特徴とする請求項１〜７のいずれかに記載の洗濯機。
【請求項９】
前記支持部材は支持柱であり、前記支持柱の上端が装着プレートに固定接続され、下端が固定プレートに接続されることで、装着プレートと固定プレートの間に一定の間隔が置かれて収容空間が形成され、
或いは、前記支持部材は、固定プレートの辺縁が上方へ延伸することで形成される槽状の側壁であり、前記槽状の側壁と固定プレートによって開口が上方を向く凹型空洞が囲繞され、前記駆動装置が当該凹型空洞内に位置し、前記装着プレートと凹型空洞の開口の辺縁とが固定接続されることを特徴とする請求項８に記載の洗濯機。
【請求項１０】
更に、制震部材を含み、前記制震部材は、一端が装着プレートに固定接続されるとともに、他端が支持構造に接続され、
好ましくは、前記制震部材は、上端が装着プレートに固定接続されるとともに、下端が支持プレートに固定接続されることを特徴とする請求項１〜９のいずれかに記載の洗濯機。
【発明の詳細な説明】
【技術分野】
【０００１】
本発明は洗濯機の分野に属し、具体的には洗濯機に関する。
【背景技術】
【０００２】
洗濯機は、電気を利用して衣類を洗浄する装置として設計される。一般的に、洗濯機は、洗浄水を蓄える槽と、回転可能に槽の内部に装着される回転槽と、回転可能に回転槽の底部に装着されるパルセータと、回転槽及びパルセータを回転させるよう構成されるモータ及びクラッチを含む。衣類及び洗剤が回転槽に投入された状態で回転槽とパルセータが回転すると、回転槽に投入された衣類とともにパルセータが洗浄水を攪動することで、衣類から汚れが除去される。
【０００３】
洗濯機の洗浄容量を拡大するためには、より大きな回転槽が必要となる。即ち、回転槽の高さ又は直径を増大する必要がある。また、回転槽がより大きなサイズを有する場合には、回転槽を収容する槽及び槽を収容するハウジングもまた、回転槽の拡大に伴って増大する必要がある。しかし、一般的なユーザの家では、洗濯機の設置位置に限りがあるため、洗濯機のハウジングを拡大して洗濯槽の容量を増大させるのはあまり現実的ではない。そこで、洗濯機のハウジングを拡大することなく、如何にして洗濯槽の容量を拡大するかが設計者を悩ませる大きな難題となっている。
【０００４】
現在のところ、洗濯機の内槽は一般的に懸架式制震部材により懸架される。具体的には、懸架式制震部材の上端を内槽に接続し、下端を内槽に接続する。しかし、このような接続方式は内槽と筐体との隙間を占有するため、内槽の内径増大に影響し、内槽の容積を拡大するには不利となる。
【０００５】
上記に鑑みて、本発明を提案する。
【発明の概要】
【発明が解決しようとする課題】
【０００６】
本発明は、従来技術における瑕疵を解消し、固定構造と支持構造を設け、洗濯槽ユニットと駆動装置を筐体内に支持することで懸架式制震部材の使用を減らし、容量拡大にいっそう有利とするとともに、固定構造と支持構造を係合し、支持構造から固定構造に対し複数方向の支持力を付与することで洗濯槽ユニットのぐらつきを低減する洗濯機を提供することを解決しようとする技術的課題とする。
【課題を解決するための手段】
【０００７】
上記の技術的課題を解決すべく、本発明で採用する技術方案の基本思想について以下に述べる。
【０００８】
洗濯機であって、筐体と、筐体内に設けられる洗濯槽ユニットと、洗濯槽ユニットの下部に設けられる駆動装置を含む。更に、洗濯槽ユニット及び／又は駆動装置に固定接続される固定構造と、筐体の底部に設けられる支持構造を含み、固定構造は支持構造に支持されて洗濯槽ユニットと駆動装置を筐体内に支持し、固定構造と支持構造を係合することで、支持構造から固定構造に対し複数方向の支持力が付与される。
【０００９】
支持構造は前記固定構造を支持する支持部を備え、前記固定構造は支持部に適合する係合部を備え、前記支持部と係合部はいずれも異なる方向を向く複数の側面を有し、洗濯槽ユニットの重心がずれると、支持部と係合部が係合することで、側面と垂直な支持力が固定構造に付与される。
【００１０】
前記支持部と係合部はいずれも曲面を有し、前記支持部の曲面と係合部の曲面が係合し、洗濯槽ユニットの重心がずれると、支持部から固定構造に対し曲面と垂直な支持力が付与される。好ましくは、前記支持部と係合部の曲面はいずれも球面をなし、前記支持部の球面と係合部の球面が係合する。
【００１１】
前記支持部は支持構造に設けられる突起／凹溝であり、前記係合部は固定構造に設けられて支持部に適合する凹溝／突起であり、前記突起の表面は外側円弧面であり、前記凹溝の内壁は内側円弧面であり、突起の外側円弧面と凹溝の内側円弧面が接触及び係合する。好ましくは、前記突起の表面は外側球面であり、凹溝の内壁は内側球面であり、突起の外側球面と凹溝の内側球面が係合することで、球面と垂直な支持力が固定構造に付与される。
【００１２】
前記支持構造は前記固定構造を支持する支持プレートを備え、前記固定構造は前記支持プレートと対向する固定プレートを備え、前記凹溝／突起はそれぞれ支持プレート及び固定プレートに設けられ、前記突起は、固定プレート又は支持プレートと一体的に成型されるか、取り外し可能に接続される。
【００１３】
前記固定プレートは前記支持プレートの上方に位置し、前記支持プレートが上方へ突出して外球状の突起を形成し、前記固定プレートが上方に凹陥して内球状の凹溝を形成する。或いは、前記固定プレートが下方に突出して外球状の突起を形成し、前記支持プレートが下方に凹陥して内球状の凹溝を形成する。
【００１４】
前記固定構造は収容空間を有し、前記駆動装置は当該収容空間内に位置して固定構造に固定接続される。
【００１５】
固定構造は装着プレートと支持部材を更に含み、前記支持部材の両端が装着プレートと固定プレートにそれぞれ接続されることで、装着プレートと固定プレートの間に一定の間隔が置かれて収容空間が形成され、前記駆動装置は、収容空間内に位置するとともに装着プレートの下部に固定される。
【００１６】
前記支持部材は支持柱であり、前記支持柱の上端が装着プレートに固定接続され、下端が固定プレートに接続されることで、装着プレートと固定プレートの間に一定の間隔が置かれて収容空間が形成される。或いは、前記支持部材は、固定プレートの辺縁が上方へ延伸することで形成される槽状の側壁であり、前記槽状の側壁と固定プレートによって開口が上方を向く凹型空洞が囲繞され、前記駆動装置が当該凹型空洞内に位置し、前記装着プレートと凹型空洞の開口の辺縁とが固定接続される。
【００１７】
更に、制震部材を含み、前記制震部材は、一端が装着プレートに固定接続されるとともに、他端が支持構造に接続される。好ましくは、前記制震部材は、上端が装着プレートに固定接続されるとともに、下端が支持プレートに固定接続される。
【発明の効果】
【００１８】
上記の技術方案を用いることで、本発明は従来技術と比較して以下の有益な効果を有する。
【００１９】
（１）固定構造と支持構造を設け、洗濯槽ユニットと駆動装置を筐体内に支持することで、懸架式制震部材の使用が減少し、容量拡大にいっそう有利となる。
【００２０】
（２）固定構造と支持構造を係合し、支持構造から固定構造に対し複数方向の支持力を付与することで、洗濯槽ユニットのぐらつきが低減する。
【００２１】
以下に、図面を組み合わせて、本発明の具体的実施形態につき更に詳細に述べる。
【００２２】
図面は本発明の一部として、本発明の更なる理解のために提供される。本発明の概略的実施例及びその説明は本発明の解釈のために用いられるが、本発明を不当に限定するものではない。なお、言うまでもなく、以下で記載する図面は実施例の一部にすぎず、当業者であれば、創造的労働を要することなくこれらの図面から更にその他の図面を得ることも可能である。
【図面の簡単な説明】
【００２３】
【図１】図１は、本発明における洗濯機の断面構造を示す図である。
【図２】図２は、本発明の図１におけるＢ箇所の部分拡大構造を示す図である。
【図３】図３は、本発明における他の洗濯機の断面構造を示す図である。
【図４】図４は、本発明の図３におけるＣ箇所の部分拡大構造を示す図である。
【発明を実施するための形態】
【００２４】
なお、これらの図面及び文字記載は何らかの方式で本発明の構想の範囲を制限するとの意図ではなく、特定の実施例を参照して当業者に本発明の概念を説明するためのものである。
【００２５】
本発明における実施例の目的、技術方案及び利点をより明確とすべく、以下では本発明の実施例にかかる図面を組み合わせて実施例の技術方案につき明瞭簡潔に述べる。なお、以下の実施例は本発明を説明するためのものであって、本発明の範囲を制限するものではない。
【実施例１】
【００２６】
洗濯機は、筐体１００と、筐体１００内に設けられる洗濯槽ユニットと、洗濯槽ユニットの下部に設けられる駆動装置３００を含む。また、洗濯槽ユニット及び／又は駆動装置３００に固定接続される固定構造８００と、筐体１００の底部に設けられる支持構造９００を更に含む。固定構造８００は支持構造９００に支持されて、洗濯槽ユニットと駆動装置３００を筐体１００内に支持する。また、固定構造８００と支持構造９００を係合することで、支持構造９００から固定構造８００に対し複数方向の支持力が付与される。
【００２７】
方案１：洗濯槽ユニットは、内槽２００と、内槽２００の外部に設けられる外槽を含む。また、固定構造８００と外槽及び／又は駆動装置３００が固定接続される。
【００２８】
方案２：洗濯槽ユニットは内槽２００を含む。前記内槽２００は貯水槽であり、内槽２００の外側に外槽は設けられない。また、固定構造８００と駆動装置３００が固定接続される。駆動装置３００は内槽２００の底壁に接続されて内槽２００を回転駆動する。そのため、固定構造８００と駆動装置３００及び内槽２００は一体となっている。
【００２９】
以下の実施例では、内槽２００のみを含み、内槽の外側に外槽が設けられない洗濯機について説明する。
【００３０】
洗濯時には、衣類の分布ムラによって内槽の重心にずれが生じ、内槽２００がぐらつくことで騒音が発生しやすい。騒音を低減するために、通常は筐体１００内に支持タイプの制震部材７００又は懸架式の制震部材を設けて制震効果を達成する。一般的に、制震部材７００は内槽２００を周回するように設けなければ各方向を支持できない。しかし、制震部材７００は高コストであり、通常は数量に限界がある。そのため、方向によっては支持効果や制震効果を発揮できなかったり、効果が小さくなったりする。
【００３１】
そこで、固定構造８００と支持構造９００を設け、固定構造８００と支持構造９００を係合することで、支持構造９００から固定構造８００に対し複数方向の支持力を付与する。内槽２００の重心にずれが生じた際に、当該方向が支持部材８０５又は懸架式制震部材により支持されてない場合には、支持構造９００により支持力を付与することでずれやぐらつきが低減し、良好な制震効果を達成可能なため、内槽２００と駆動装置３００の震動がより小さくなる。また、固定構造８００と支持構造９００によって内槽２００と駆動装置３００を筐体１００内に支持することで、懸架式制震部材を使用することなく内槽２００と駆動装置３００を懸架可能となる。よって、懸架式制震部材が内槽２００と筐体１００の間のスペースを占有することがなく、内槽２００の直径を増大しやすいため、洗濯機の容量拡大が可能となる。
【００３２】
更に、支持構造９００は前記固定構造８００を支持する支持部９０１を備え、前記固定構造８００は、支持部９０１に適合する係合部８０１を備える。前記支持部９０１と係合部８０１はいずれも異なる方向を向く複数の側面を有する。内槽２００の重心がずれると、支持部９０１と係合部８０１が係合することで、側面と垂直な支持力が固定構造８００に付与される。
【００３３】
上記支持構造が固定構造を支持することには、次のような意味がある。即ち、固定構造と内槽及び駆動装置は一体的に固定されるため、支持構造が固定構造を支持するということは、固定構造と、固定構造に固定接続される内槽及び駆動装置からなる全体とを支持構造が支持し、内槽及び駆動装置を筐体内に支持することになる。
【００３４】
支持構造９００は支持部９０１を備える。固定構造８００は、支持部９０１と係合部８０１の係合によって支持構造９００に支持される。また、支持部９０１は異なる方向を向く複数の側面を有し、係合部８０１は支持部９０１と係合する複数の側面を有する。内槽２００の重心がずれると、支持部９０１が側面と垂直な支持力を固定構造８００に付与することで、支持部９０１による固定構造８００の複数方向における支持が実現される。
【００３５】
更に、前記支持部９０１と係合部８０１はいずれも曲面を有する。曲面は複数の側面を有し、前記支持部９０１の曲面と係合部８０１の曲面が係合する。よって、内槽２００の重心がずれると、支持部９０１から固定構造に対し曲面と垂直な支持力が付与される。曲面上の各点はそれぞれ別方向に対応しているため、内槽２００の重心にずれが生じた際に付与可能な支持力の方向がより多くなり、支持効果が良好となる。
【００３６】
更に、前記支持部９０１と係合部８０１の曲面はいずれも球面である。前記支持部９０１の球面と係合部８０１の球面が係合することで、支持構造から固定構造に対し球面と垂直な支持力が付与される。
【００３７】
球面の場合には、より平滑且つ対称的な形状をなすため、固定構造８００、内槽２００及び駆動装置３００の支持のバランスを取りやすい。且つ、球面は中心対称形状をなすため、震動やぐらつきの最中に内槽２００と駆動装置３００にトルクが発生したとしても、これを吸収し、内槽２００と駆動装置３００の捻れによる破損を低減させられる。また、内槽２００と駆動装置３００は、固定構造８００を介して支持構造９００に支持される。そのため、内槽２００と駆動装置３００はいずれも支持構造９００に直接は接触せず、震動又はぐらつきによる内槽及び／又は駆動装置の破損が低減する。且つ、固定構造８００は、震動又はぐらつき時に一定の緩衝作用を有し、震動を軽減することも可能である。
【００３８】
更に、前記支持部９０１は支持構造９００に設けられる突起８０２であり、前記係合部８０１は固定構造８００に設けられて支持部９０１に適合する凹溝９０２である。
【００３９】
或いは、前記支持部９０１は支持構造９００に設けられる凹溝９０２であり、前記係合部８０１は固定構造８００に設けられて支持部９０１に適合する突起８０２である。
【００４０】
前記突起８０２の表面は外側円弧面であり、前記凹溝９０２の内壁は内側円弧面である。また、突起８０２の外側円弧面と凹溝９０２の内側円弧面が接触及び係合する。
【００４１】
突起８０２の外側円弧面と凹溝９０２の内側円弧面が接触しており、且つ内槽２００の重心にずれが生じた場合には、円弧面から固定構造８００に対し円弧面と垂直な直接支持力が付与される。これにより、内槽と駆動装置の更なるぐらつきが阻止される。
【００４２】
更に、前記突起８０２の表面は外側球面であり、凹溝９０２の内壁は内側球面である。突起８０２の外側球面と凹溝９０２の内側球面が係合することで、球面と垂直な支持力が固定構造８００に付与される。
【００４３】
最適には、内槽２００と駆動装置３００が軸線を共有し、突起８０２と凹溝９０２の球面の中心が内槽２００の中心軸線上に位置する。
【００４４】
更に、前記支持構造９００は、前記固定構造８００を支持する支持プレート９０３を備える。支持プレート９０３は水平に配置され、前記固定構造８００が前記支持プレート９０３と対向する固定プレート８０３を備える。前記凹溝９０２／突起８０２は、それぞれ支持プレート９０３及び固定プレート８０３に設けられる。前記突起８０２は固定プレート８０３又は支持プレート９０３と一体的に成型されるか、取り外し可能に接続される。
【００４５】
支持構造９００の上部には支持プレート９０３が備わっており、固定構造８００の下部には支持プレート９０３と対向する固定プレート８０３が備わっている。また、支持プレート９０３と固定プレート８０３は、凹溝９０２と突起８０２を介して接続される。即ち、突起８０２が凹溝９０２に挿入される。且つ、これらの接触面は球面をなしている。内槽２００の重心がずれると、球面と垂直な支持力が球面に発生し、内槽２００と駆動装置が平衡を取る。
【００４６】
固定プレート８０３と支持プレート９０３は対向して設けられるため、支持力を良好に付与可能である。最適には、突起８０２と凹溝９０２を内槽２００の中心軸線上に設け、構造全体をより対称とすることで更にバランスを取りやすくする。
【００４７】
方案１：前記固定プレート８０３は前記支持プレート９０３の上方に位置する。前記支持プレート９０３は部分的に上方へ突出して外球状の突起８０２を形成し、前記固定プレート８０３は部分的に上方に凹陥して内球状の凹溝９０２を形成する。外球状及び内球状はいずれも半球をなしており、且つ球径が等しい。突起８０２は凹溝９０２内に支持され、突起８０２の外側球面と凹溝９０２の内側球面が密着する。内槽２００と駆動装置３００がぐらついて固定構造にもぐらつきが生じた場合、突起と凹溝の球面が係合しているため、突起８０２は突起の外側球面と垂直な支持力を固定構造８００に付与する。
【００４８】
方案２：前記固定プレート８０３は前記支持プレート９０３の上方に位置する。前記固定プレート８０３は下方に突出して球状の突起８０２を形成し、前記支持プレート９０３は下方に凹陥して凹溝９０２を形成する。凹溝９０２の内壁は球状をなしている。突起８０２は凹溝９０２内に支持され、突起８０２の外側球面と凹溝９０２の内側球面が密着する。内槽２００がぐらついた場合、支持プレート９０３の凹溝９０２は凹溝の内側球面と垂直な支持力を固定構造８００に付与する。
【００４９】
前記固定構造８００は収容空間を有する。前記駆動装置３００は当該収容空間内に位置し、固定構造８００に固定接続される。収容室を設けることで、固定構造８００は内槽２００と駆動装置３００を固定及び支持する作用だけでなく、駆動装置３００を保護する作用も有する。
【００５０】
更に、固定構造８００は装着プレート５００と支持部材８０５を含む。前記支持部材８０５の両端が装着プレート５００と固定プレート８０３にそれぞれ接続されることで、装着プレート５００と固定プレート８０３の間に一定の間隔が置かれ、収容空間が形成される。前記駆動装置３００は、当該収容空間内に位置するとともに、装着プレート５００の下部に固定される。駆動装置３００は、装着プレート５００を貫通して内槽に接続され、内槽を回転駆動する。支持部材８０５は、装着プレート５００と固定プレート８０３の間に一定の間隔を開けることで、駆動装置３００を収容可能な収容空間を形成する。駆動装置３００は収容空間内に囲繞されるため、固定構造８００は駆動装置３００に対し一定の保護作用を有することになる。
【００５１】
方案１：前記支持部材８０５は支持柱８０５−１である。前記支持柱８０５−１は上端が装着プレート５００に固定接続され、下端が固定プレート８０３に接続される。これにより、装着プレート５００と固定プレート８０３の間に一定の間隔が置かれ、収容空間が形成される。
【００５２】
支持柱は複数とする。最適には４本以上とし、複数の支持柱が装着プレートを取り囲むように均一に分布する。
【００５３】
支持柱８０５−１、固定プレート８０３及び装着プレート５００は駆動装置３００を収容空間内に囲繞し、駆動装置３００に対し一定の保護作用を奏する。また、洗濯機の修繕や交換を行う際にも固定構造８００が支持作用を奏するため、駆動装置３００の検査、修繕及び交換を行いやすい。
【００５４】
方案２：前記支持部材８０５は、固定プレート８０３の辺縁が上方へ延伸することで形成される槽状の側壁８０５−２である。前記槽状の側壁８０５−２と固定プレート８０３によって開口が上方を向く凹型空洞８０６が囲繞され、前記駆動装置３００が当該凹型空洞８０６内に位置する。また、前記装着プレート５００と凹型空洞８０６の開口の辺縁とが固定接続される。
【００５５】
最適には、装着プレート５００と凹型空洞８０６の開口の辺縁が取り外し可能に接続される。当該接続には、ネジ接続又は係接を用いればよい。
【００５６】
当該構造では、凹型空間８０７を密封された凹型空洞８０６として設計することで、良好な防水効果を実現可能である。内槽２００は貯水槽であり、外側に外槽を有さないことから、内槽２００の水が溢流した場合には駆動装置３００を容易に損傷してしまう。そこで、凹型空洞を密封構造として設計すれば、溢流した水が駆動装置３００に接触しにくくなるため、駆動装置３００に対しより良好な保護作用が奏される。
【００５７】
更に、洗濯機は制震部材７００を含む。前記制震部材７００は一端が装着プレート５００に固定接続され、他端が支持構造９００に接続される。
【００５８】
制震部材７００を設け、制震部材７００の緩衝作用を利用することで、内槽２００の震動が更に低減するほか、球状の突起８０２に対して一定の保護作用も奏される。
【００５９】
制震部材７００は、制震バネ、アブソーバ、シートスプリング、油圧シリンダ等の緩衝作用を発揮可能な部材とすればよい。図１において制震部材は制震バネであり、図３において制震部材はアブソーバである。
【００６０】
更に、前記制震部材７００は上端が装着プレート５００に固定接続され、下端が支持プレート９０３に固定接続される。
【００６１】
最適には、支持プレート９０３は支持平板であり、支持平板の辺縁が筐体１００の内壁に密着する。これは、筐体１００の材質の影響で、制震部材７００を筐体１００に直接装着した場合には、引張力の作用により損傷しやすいためである。また、支持プレートは面積が小さいため、筐体とは異なる引張強さに優れた材質を採用すれば、支持プレート９０３の使用寿命が延長される。また、本構造はシンプル且つ低コストであり、引張強さに優れる。
【実施例２】
【００６２】
図１〜４に示すように、実施例１を元に、本実施例の固定構造には、内槽２００から排出された水が溢れ出さないよう堰き止める堰止構造が設けられている。前記堰止構造は全体が前記内槽２００の槽底の下部に位置している。また、内槽２００は注水機能を有する。
【００６３】
具体的に、堰止構造は装着プレート５００の上部に設けられる。
【００６４】
堰止構造を設けることで、水が内槽２００から排出される際に、堰止構造によって水が堰き止められるため、水が溢れ出すとの事態が防止される。また、堰止構造は、全体が内槽２００の下方に位置しており、内槽２００の側壁と筐体１００の間に位置する部分の構造を有さない。そのため、内槽２００の容量拡大を規制することがなく、内槽２００の容量拡大のために十分なスペースが提供される。
【００６５】
前記堰止構造は、上開口を有する集水室４００を含む。前記集水室４００の側壁上端は、前記内槽２００の槽底よりも低くなっている。また、前記内槽２００は集水室４００の上開口と連通する。
【００６６】
集水室４００を設けることで、内槽２００から排出される水の堰き止めが実現される。集水室４００の側壁上端は前記内槽２００の槽底よりも低くなっているため、集水室４００は全体が洗濯槽ユニットの槽底下方に位置している。そのため、内槽のみを有する洗濯機の場合、集水室４００は全体が内槽の槽底下方に位置し、集水室４００の側壁が内槽２００と筐体１００の間に位置する構造を有さない。よって、内槽２００と堰止構造の間に一定の安全距離を設けなくとも、内槽２００が堰止構造に衝突して破損するとの事態が防止される。且つ、堰止構造と筐体１００の間にも安全距離を設ける必要がなく、内槽２００と筐体１００の間の安全距離を設計するだけでよい。よって、内槽２００の槽径を大幅に増大可能となり、内槽２００の容量拡大がより良好に実現される。
【００６７】
前記集水室４００の側壁と前記内槽２００の槽底の外壁との間には一定の間隔が設けられている。
【００６８】
集水室４００の側壁上端を内槽２００の槽底よりも低くし、且つ、集水室４００の側壁と内槽２００の槽底の外壁との間に一定の間隔を設けることで、内槽が震動時に集水室４００の側壁と衝突するとの事態が防止される。これにより、集水室４００の使用寿命が延びる。
【００６９】
前記集水室４００には、堰止構造内の水を排出する排水管４０１が設けられている。前記排水管４０１は洗濯機の外部まで延伸している。
【００７０】
前記内槽２００は、脱水時の排水に用いられる第１排水口２０１と、第１排水口２０１と連通する第１排水管路２０２を含む。前記第１排水管路２０２の吐水口２０３は堰止構造と連通する。第１排水口２０１と連通する第１排水管路２０２によって内槽内の水を堰止構造に排出し、更に、排水管４０１によって水を排出する。
【実施例３】
【００７１】
図１〜４に示すように、本実施例は実施例２を更に限定する。本実施例では、前記装着プレート５００に堰止リブ５０１が設けられ、前記装着プレート５００と堰止リブ５０１で取り囲むようにして集水室４００を形成する。装着プレート５００と堰止リブ５０１を設け、これらで取り囲むようにして集水室４００を形成するため、本構造はシンプルであり、加工成形が容易である。
【００７２】
集水室４００は装着プレート５００の中央部に位置するため、堰止装置の重心が中心といっそう重なりやすく、ずれが減少する。
【００７３】
前記堰止リブ５０１は環状をなしており、前記堰止リブ５０１と装着プレート５００で取り囲むようにして環状の集水室４００が形成される。
【００７４】
更に、前記堰止リブ５０１は傾斜して設けられる。堰止リブ５０１を傾斜状に設けることで堰き止め量を最大限増加させられるため、使用にいっそう都合がよい。
【００７５】
更に、前記堰止リブ５０１は、上開口の口径がより大きくなるよう、上から下へと集水室４００の中心軸線方向に向かって徐々に収縮しているため、集水にいっそう都合がよい。
【００７６】
更に、前記内槽２００の底部外壁は曲面をなしており、前記堰止リブ５０１と内槽２００の曲面の間に一定の間隔が設けられる。
【００７７】
更に、前記内槽２００の水平方向の投影図は、前記集水室４００の水平方向の投影図を覆う。内槽２００の水平方向の投影図が前記集水室４００の水平方向の投影図を覆うようにすることで、集水室４００と筐体１００との間隔が増大し、筐体１００に対する集水室４００の衝突が防止されるため、集水室４００の破損が減少する。且つ、集水室４００が小さくなるため、筐体１００の底部に対するその他の装置の装着がいっそう容易となる。
【００７８】
より多くの水を収集可能となるよう、前記内槽２００の水平方向の投影図を前記集水室４００の水平方向の投影図より小さくしてもよい。
【００７９】
更に、装着プレート５００には排水管４０１が設けられている。排水管４０１は、一端が集水室４００と連通し、他端が洗濯機の外部に通じるか、洗濯機の排水管路全体と連通して水を排出する。集水室４００の内部に堰止構造内の水を排出するための排水管４０１を設けることで、水が集水室４００に排出されると、排水管４０１を通じて集水室４００内の水が排出される。よって、集水室４００内の水が過剰となって溢れ出すとの事態が防止される。
【００８０】
更に、内槽２００の槽壁には、第１排水口２０１と、第１排水口２０１に連通する第１排水管路２０２が設けられている。前記第１排水管路２０２の吐水口２０３は、集水室４００の上開口の上方に設けられる。第１排水口２０１と第１排水管路２０２はいずれも複数とし、各第１排水口２０１がそれぞれ第１排水管路２０２に対応してもよいし、複数の第１排水口２０１が１つの第１排水管路２０２に対応してもよい。洗濯機が脱水プログラムを実行する際には、内槽の遠心分離の作用で振り飛ばされた水が、第１排水口２０１を経由して第１排水管路２０２に進入するとともに、第１排水管路２０２の吐水口２０３を通じて集水室４００に排出される。これにより、四方への水の溢流が堰き止められる。
【００８１】
前記第１排水管路２０２の吐水口２０３は、集水室４００の上開口の上方に設けられる。吐水口２０３と堰止構造を連通することで、脱水時に水が第１排水口２０１を通じて第１排水管路２０２に進入してから、吐水口２０３を通じて集水室４００へと排出されるため、水が溢れ出さないよう堰き止められる。吐水口２０３は、堰止リブ５０１により取り囲まれた集水室４００の上開口の上方に設けられ、吐水口２０３から排出された水が集水室４００に直接落下する。当該構造はよりシンプルであり、その他の付属部材を追加しなくとも集水効果がいっそう良好となる。
【００８２】
更に、前記内槽２００は、脱水及び／又は水の振り飛ばし時に、内槽２００内の水を集水室４００に排出するための第２排水口２０４を更に含む。第２排水口２０４と集水室４００の間には封止装置２０５が設けられている。前記封止装置２０５は、脱水及び／又は水の振り飛ばし時に第２排水口２０４を開放し、内槽２００内の大量の水を第２排水口２０４から排出する一方、洗濯時には前記第２排水口２０４を封止し、水を内槽２００内に保持して洗濯を実施する。
【００８３】
更に、前記第２排水口２０４は、前記集水室４００の上開口の上方に設けられ、前記封止装置２０５は第２排水口２０４の下部に設けられる。
【００８４】
第２排水口２０４を設け、脱水及び／又は水の振り飛ばし時に封止装置２０５が第２排水口２０４を開放することで、内槽２００内の水が堰止構造に直接排出される。水は堰止リブ５０１によって溢れ出ないよう堰き止められるとともに、排水管４０１を通じて洗濯機から排出される。また、洗濯時には、封止装置２０５が第２排水口２０４を封止することで、内槽２００内の水を内槽２００内に保持して洗濯を実施する。
【００８５】
洗濯機は、パルセータ洗濯機である。
【００８６】
前記封止装置２０５は、バルブプラグ２０５−１と、バルブプラグ２０５−１の下方に設けられる電磁装置２０５−２を含む。電磁装置２０５−２は洗濯機の制御装置に電気的に接続される。洗濯機が洗濯状態の場合、バルブプラグ２０５−１は第２排水口２０４を封止して内槽２００内の水の排出を防止する。また、洗濯機が排水又は脱水状態の場合、前記電磁装置２０５−２はバルブプラグ２０５−１が下方に運動するよう制御し、第２排水口２０４を開放することで、水を堰止構造に排出する。
【００８７】
装着プレート５００には位置決め装置が設けられており、内槽２００の底壁には位置決め装置と連携する連携部が設けられている。連携部は位置決め凹溝とすればよい。脱水及び／又は水の振り飛ばし時において、位置決め装置は連携部から離脱し、内槽２００が出力軸３０３に従って回転する。洗濯機が洗濯状態の場合、位置決め装置は連携部と連携し、内槽２００が装着プレート５００に係合する。すると、バルブプラグ２０５−１がちょうど第２排水口２０４と対向し、第２排水口２０４を封止することで、内槽２００内の水の排出が防止される。また、出力軸が洗濯機内のパルセータを回転させる。
【００８８】
更に、前記装着プレート５００は内槽２００と駆動装置３００の間に設けられる。前記装着プレート５００の下部は、駆動装置３００のハウジングに固定接続される。装着プレート５００を内槽２００と駆動装置３００の間に設けることで、内槽２００内の水は自重により落下して、自動的に堰止構造に流入可能となる。また、装着プレート５００が駆動装置３００の上部に設けられるため、水が駆動装置３００から隔離され、水に起因する駆動装置３００の破損が防止される。
【００８９】
駆動装置３００はモータ３０１を含む。モータ３０１の上方には減速クラッチ装置３０２が設けられており、装着プレート５００の下部が減速クラッチ又はモータ３０１のハウジングに固定接続される。
【００９０】
装着プレート５００と駆動装置３００の接続方式としては、軸受を介して前記装着プレート５００と駆動装置３００の出力軸３０３を接続してもよい。
【００９１】
更に、減速クラッチの出力軸３０３は、前記装着プレート５００を貫通して内槽２００に接続され、内槽２００を回転駆動する。また、装着プレート５００と駆動装置３００の出力軸３０３は、軸受を介して接続される。
【００９２】
以上は本発明の好ましい実施例にすぎず、本発明を何らかの形式に限定するものではない。本発明については好ましい実施例によって上記のように開示したが、本発明を限定するとの主旨ではない。本発明の技術方案を逸脱しない範囲において、当業者が上記で提示した技術内容を用いて行うわずかな変形或いは補足は、同等に変形された等価の実施例とみなされ、いずれも本発明の技術方案の内容を逸脱するものではない。また、本発明の技術的本質に基づいて上記の実施例に加えられる簡単な修正、同等の変形及び補足は、いずれも本発明の方案の範囲内とされる。
【符号の説明】
【００９３】
１００      筐体
２００      内槽
２０１      第１排水口
２０２      第１排水管路
２０３      吐水口
２０４      第２排水口
２０５      封止装置
２０５−１  バルブプラグ
２０５−２  電磁装置
３００      駆動装置
３０１      モータ
３０２      減速クラッチ装置
３０３      出力軸
４００      集水室
４０１      排水管
５００      装着プレート
５０１      堰止リブ
７００      制震部材
８００      固定構造
８０１      係合部
８０２      突起
８０３      固定プレート
８０５      支持部材
８０５−１  支持柱
８０５−２  槽状の側壁
８０６      凹型空洞
８０７      凹型空間
９００      支持構造
９０１      支持部
９０２      凹溝
９０３      支持プレート
【図１】
2020517412.tif 000003
【図２】
2020517412.tif 000004
【図３】
2020517412.tif 000005
【図４】
2020517412.tif 000006
【国際調査報告】
2020517412.tif 000007
2020517412.tif 000008
2020517412.tif 000009
2020517412.tif 000010